(57)【要約】【課題】  簡素な配線構造で三原色表示を含む様々なカラー表示が可能となるカラー表示装置を提供する。【解決手段】  カラー表示素子の複数の画素５０を、媒体の色相変化に基づく変調領域を用いてカラー表示を行う第１の副画素５２と、赤色、緑色、青色のいずれか一つのカラーフィルタが配設された第２の副画素５１の２つの副画素とにより構成し、第１の副画素５２に媒体の色相変化範囲の変調を与えて有彩色を表示させ、第２の副画素５１に媒体の明度変化範囲の変調を与えてカラーフィルタの色を表示させる。【選択図】      図２
2006053497.tif 000002
【特許請求の範囲】
【請求項１】
変調手段によって明度を変化させる明度変化範囲と、前記変調手段によって色相を変化させる色相変化範囲とを有する媒体を用いると共に、複数の画素を有するカラー表示素子を備えたカラー表示装置において、
前記カラー表示素子の画素を、前記媒体の色相変化に基づく変調領域を用いてカラー表示を行う第１の副画素と、赤色、緑色、青色のいずれか一つのカラーフィルタが配設された第２の副画素の２つの副画素とにより構成し、
前記２つの副画素にそれぞれカラー出力信号を入力する電極を設け、前記電極に前記変調手段からの前記カラー出力信号を入力することにより、前記第１の副画素に前記媒体の色相変化範囲の変調を与えて有彩色を表示させると共に、前記第２の副画素に前記媒体の明度変化範囲の変調を与えて前記カラーフィルタの色を表示させることを特徴とするカラー表示装置。
【請求項２】
前記カラーフィルタを、前記画素の背景部分にも配設することを特徴とする請求項１に記載のカラー表示装置。
【請求項３】
前記第１及び第２の副画素がそれぞれ複数のストライプパターンからなっており、前記ストライプパターンは同種のもの同士で前記電極に結線され、同時に駆動されることを特徴とする請求項１記載のカラー表示装置。
【請求項４】
前記ストライプパターンの方向と、前記ストライプパターンの結線方向とが、略一致することを特徴とする請求項３に記載のカラー表示装置。
【請求項５】
前記ストライプパターンの方向が、前記画素の長辺方向と略一致することを特徴とする請求項３に記載のカラー表示装置。
【請求項６】
前記カラー表示素子は、少なくとも１枚の偏光板と、電極がパターニング形成されて対向配置された一対の基板と、該基板間に配置された液晶層とを有し、液晶層のリタデーションによって入射偏光を所望の偏光状態に変調させる機能を有すると共に、該カラー表示素子の単位画素は複数の副画素からなっており、前記複数の副画素は、電圧印加によって液晶層のリタデーションを変化させて有彩色を表示する第１の副画素と、カラーフィルタを有し、電圧によって明度変化範囲でリタデーションを変化させて該カラーフィルタの色を表示する第２の副画素とを含むことを特徴とする請求項１乃至５のいずれか１項に記載のカラー表示装置。
【請求項７】
前記カラー表示素子は、少なくとも基板上に複数の金属薄膜が配置され、前記金属薄膜と基板との媒体としての空気の厚さである空隙距離を変調させることによって干渉色の色調を変化させる機能を有すると共に、前記複数の画素の少なくとも一つは、空隙距離の変化による干渉色変化に応じた色相変化に基づくカラー表示を行う事ができる第１の副画素と、カラーフィルタ層を有した第２の副画素とからなることを特徴とする請求項１乃至６のいずれか１項に記載のカラー表示装置。
【請求項８】
前記カラー表示素子は、媒体である複数の粒子を電圧印加によって移動させると共に、前記複数の画素の少なくとも一つは、少なくとも２つ以上の駆動電極と、少なくとも２種類以上の互いに異なる粒子移動特性と呈色を示す粒子を含む第１の副画素と、カラーフィルタ層を有した第２の副画素とからなることを特徴とする請求項１乃至６のいずれか１項に記載のカラー表示装置。
【請求項９】
外部から加えられた変調によって入射光の明度を変化させる明度変化範囲と色相を変化させる色相変化範囲とを有する媒体を用いて構成されたカラー表示装置であって、
前記表示装置は、前記媒体が一定の光学状態を呈する背景領域と、該背景領域に所定のパターンで埋め込まれ、前記媒体が変調を加えられて異なる光学状態を呈する変調領域とを有し、前記背景領域と前記変調領域とが、それぞれ、第１の副パターン部と、カラーフィルタを有する第２の副パターン部とからなることを特徴とするカラー表示装置。
【発明の詳細な説明】
【技術分野】
【０００１】
本発明は、複数色のカラー表示が可能なカラー表示装置に関する。
【背景技術】
【０００２】
従来、セグメント型表示素子は、数値や簡単なアルファベット表示を簡便に行うことができるため、腕時計、体温計、体重計、テスター、電卓、リモコンなど各種装置の表示部として、広く利用されている。またこうした数値表示に限らず、バッテリー残量や携帯電話の電波状況を示すアイコン表示などの各種キャラクター表示にも広く用いられている。
【０００３】
ここで、これに用いられる表示素子としては、ＬＥＤなどの発光型のもの、もしくは液晶を用いた非発光型のものがあり、なかでも液晶を用いた直接駆動型反射型表示素子は低消費電力という特長を有しており、乾電池で長時間駆動できることから、最も広く用いられている。
【０００４】
そして、この液晶を用いた直接駆動型反射型表示素子のなかでも最も広く用いられているのがＴＮモードの液晶を二枚の偏光板で挟み込み、背面に反射板を設けたＴＮ型の液晶表示素子である。
【０００５】
ここで、このＴＮ型の液晶表示素子は上下２枚の偏光板を直交させ、その間に透明電極付きの一対のガラス（もしくはプラスチック）基板に平行で、かつ９０度ツイスト配向させたネマティック液晶を挟み込む構成のものである。
【０００６】
そして、このように構成することにより、電圧無印加状態では光は液晶層を透過し、その透過した光が背面の反射板によって反射し、再び液晶層を通過して明るい表示を得ることができる。一方、液晶層に電圧を印加すると、液晶分子は基板に対して垂直に配向するため、入射した光は背面の偏光板を透過することが出来ず、光が反射板に達しないために暗い表示を得ることができる。このようにして、背景色（一般には白）と表示色のコントラストが存在する状態と、コントラストが存在しない状態とを切り替えることが可能となっており、視認性の高いモノクロ表示を得ることができる。
【０００７】
次に、このようなモノクロ表示を行う表示素子を用いた液晶表示装置の一例であるモノクロ７セグメント表示装置の構造を、図９を用いて説明する。
【０００８】
図９において、不図示の一対の基板のうちの一方に設けられた電極が、７個のセグメント６１〜６７のそれぞれに対応したセグメント電極に相当し、他方の基板に設けられた電極がコモン電極に相当する。
【０００９】
そして、コモン電極にパルス状の電圧を印加すると共に、制御信号としてセグメント電極制御部６８により黒表示を得たいセグメントに対応するセグメント電極に、コモン電極制御部６９によりコモン電極に印加される電圧と逆相の電圧を印加することによって、電極間にパルス状の電界を印加し続ける状態が実現される。
【００１０】
また、白表示を得たいセグメントに対応するセグメント電極に、コモン電極に印加される電圧と同相の電圧を印加することによって、電極間に電界を印加しない状態が実現される。このようにして、明暗のモノクロ表示を得ることができる。
【００１１】
一方、ＰＣ用のモニタや液晶テレビに用いられるカラーＬＣＤ（液晶表示装置）では、モノクロ表示素子に対してカラーフィルタを設けることによって三原色表示、およびその混色を表示することが可能となっている。
【００１２】
ところで、このように単純な駆動や低消費電力などの特長があるため広く用いられている従来の直接駆動型反射型の表示素子を備えた表示装置において、これまで反射型・透過型・ＬＥＤ表示を含めて鑑みても複数色表示可能な製品が実現していないのが現状である。
【００１３】
しかしこれは決してカラー化へのニーズがないのが理由ではない。なぜなら、直接駆動されるキャラクターや数値をカラー化することによって、その表示に意味をもたせることが可能となり、製品そのものに大きな付加価値を与えることが可能になるためである。
【００１４】
その一例として体温計表示に適用した場合、例えば３７度未満では青色表示、３７〜３８度のときには黄色、３８度以上の時には赤色の数値表示にすることによって、数値の見誤りによる危険防止を回避しやすくなることが考えられる。また、こうしたカラー表示にすることによって、文盲者も正しい判断が可能になるなど、バリアフリーやユニバーサルデザインの観点からも数値やキャラクターのカラー表示は有効と考えられる。
【００１５】
なお、カラー化するため、例えば反射型のＴＮ−ＬＣＤにおいて、単純にカラーフィルタをつけただけでは、液晶層と反射板との間にガラスや偏光板などの厚みがある物体が存在するために視差が生じてしまう。その結果、入射光が通過するカラーフィルタと異なる色のカラーフィルタを反射光が通過してしまい、その結果非常に暗い表示になってしまうことになる。なお、このような現象を回避するためには、ガラスの内側に反射板を設けるような１枚偏光板方式の反射型表示モードを適用すればよい（例えば非特許文献１参照。）。あるいは、透過型表示モードであれば問題ない。
【００１６】
また、従来のモノクロ表示素子において、一つのセグメントもしくはキャラクターに対してＲ（赤）、Ｇ（緑）、Ｂ（青）の三種類のカラーフィルタを設ける場合、このようなカラー表示素子のカラーフィルタの配置として、図１０に示すように、一つのセグメント（もしくはキャラクター）を単純に３分割してしまうと、カラー表示時にセグメント（もしくはキャラクター）の形状が変化してしまうことになる。
【００１７】
なお、このような現象を回避するには、図１１に示すようにＲ、Ｇ、Ｂのストライプ状のカラーフィルタを横方向に交互に配置すると共に、同一種のカラーフィルタを同時に駆動することによって、様々な表示色にカラー表示させた場合にも、形状が変化しないようにすることができる。
【００１８】
ここで、このような三種類のストライプ状カラーフィルタＲ，Ｇ，Ｂの電極接続について考えると、電極接続としては、図１２に示すように、配線長を最短とすべくレイアウトし、そのとき生じる電極の重なりによる電極間ショートを防ぐために多層配線構造を用いる方法と、多層配線を避けるために図１３に示すようなストライプ電極間に配線をレイアウトする方法、のいずれかが考えられる。
【００１９】
【非特許文献１】Ｊａｐａｎ  Ｄｉｓｐｌａｙ  ’８６  ｐ．３１２：Ｋ．Ｔａｄｏｋｏｒｏ  ｅｔ  ａｌ．
【発明の開示】
【発明が解決しようとする課題】
【００２０】
ところが、このような構成の従来のカラー表示素子において、いずれの接続方法であっても従来のモノクロ型と比較してコスト増加するのはもちろんであるが、断線やショートなどが原因となり製造時の歩留まりが低下する懸念があるため、大量生産には不向きと考えられる。
【００２１】
また、特に図１３に示す接続方法では、ストライプ電極間の配線部を隠蔽するためにブラックストライプを設ける必要があることから、開口率が大きく低下してしまい、カラーフィルタによる光損失と開口率低下の両方の損失によって非常に暗い表示になってしまう。さらに電極抵抗に起因する表示ムラが懸念される。
【００２２】
そこで、このような問題点を解決するための構成として、例えばＲＧＢの三種類のカラーフィルタを用いるのではなく、ＲＧＢのうちいずれか２種類のみ、もしくはＲＧＢいずれか一種類のカラーフィルタと、このカラーフィルタと補色関係があるカラーフィルタとを組み合わせることによって、制御する電極数を２種類とする方法が考えられる。
【００２３】
そして、このように構成することにより、後述する図６に示すような簡素な配線構造をとることができる。これにより、上記のような多層配線やストライプ電極間の配線を行わなくても済むようになることから、製造時の歩留まりの問題、開口率の低下および表示ムラは抑制できるものと考えられる。
【００２４】
しかしながら、カラーフィルタとしてＲＧＢのうちいずれか２種類のみを用いる場合には、三原色のうち二原色しか表示できないのと同時に白色表示が出来ないことになる。また、ＲＧＢいずれか一種類とその補色の組み合わせを行う場合には白色表示は可能となるが、三原色のうち１原色しか表示できないことになる。つまり、いずれの場合にも限られた表示色しか表現できないことになり、上記体温計の例で述べたような、青・黄・赤といった表示色の変化を実現することが出来ない。
【００２５】
さらに通常のカラーＬＣＤで用いられている構成のように、カラーフィルタを電極上にのみ配設する場合には、背景色と表示色が一致する状態が得られないために、視認性の高い表示を得ることができない。
【００２６】
そこで本発明は、このような現状に鑑みてなされたものであり、簡素な配線構造で三原色表示を含む様々なカラー表示が可能となるカラー表示装置を提供することを目的とするものである。
【課題を解決するための手段】
【００２７】
本発明は、変調手段によって明度を変化させる明度変化範囲と、前記変調手段によって色相を変化させる色相変化範囲とを有する媒体を用いると共に、複数の画素を有するカラー表示素子を備えたカラー表示装置において、前記カラー表示素子の画素を、前記媒体の色相変化に基づく変調領域を用いてカラー表示を行う第１の副画素と、赤色、緑色、青色のいずれか一つのカラーフィルタが配設された第２の副画素の２つの副画素とにより構成し、前記２つの副画素にそれぞれカラー出力信号を入力する電極を設け、前記電極に前記変調手段からの前記カラー出力信号を入力することにより、前記第１の副画素に前記媒体の色相変化範囲の変調を与えて有彩色を表示させると共に、前記第２の副画素に前記媒体の明度変化範囲の変調を与えて前記カラーフィルタの色を表示させることを特徴とするものである。
【発明の効果】
【００２８】
本発明のように、カラー表示素子の複数の画素を、媒体の色相変化に基づく変調領域を用いてカラー表示を行う第１の副画素と、赤色、緑色、青色のいずれか一つのカラーフィルタが配設された第２の副画素の２つの副画素とにより構成し、第１の副画素に媒体の色相変化範囲の変調を与えて有彩色を表示させ、第２の副画素に媒体の明度変化範囲の変調を与えてカラーフィルタの色を表示させることにより、簡素な配線構造で三原色表示を含む多色の表示を行うことが可能となる。
【発明を実施するための最良の形態】
【００２９】
以下、本発明を実施するための最良の形態について図面を用いて詳細に説明するが、その前に、まず本発明の基本となるカラーフィルタを用いることなくカラー表示を行うことのできるカラー表示装置の一例であるＥＣＢ型（電界制御複屈折効果型）の液晶表示素子を用いたカラー液晶表示装置について説明する。
【００３０】
ＥＣＢ型液晶表示素子としては、一対の基板間に媒体である液晶を挟持した液晶セルを挟んで、その表面側と裏面側とにそれぞれ偏光板を配置した透過型のものと、反射型のものとがあり、さらに反射型のものには一方の基板にのみ偏光板を配置した一枚偏光板タイプと、両方の基板に偏光板を配置し、偏光板の外側に反射板を設けた二枚偏光板タイプのものがある。
【００３１】
ここで、例えば透過型のＥＣＢ型液晶表示素子の場合、一方の偏光板を透過して入射した直線偏光が、液晶セルを透過する過程で液晶層の複屈折作用により、各波長光がそれぞれ偏光状態の異なる楕円偏光となった光となり、その光が他方の偏光板に入射して、この他方の偏光板を透過した光が、その光を構成する各波長光の光強度の比に応じた色の着色光になる。
【００３２】
このように、ＥＣＢ型液晶表示素子は、液晶の複屈折作用と偏光板の偏光作用とを利用して光を着色するものであり、カラーフィルタによる光の吸収がないことから、光の透過率を高くして明るいカラー表示を得ることができる。しかも、電圧に応じて液晶層の複屈折性が変化するため、液晶への印加電圧を制御することによって透過光や反射光の色を変化させることができる。これを利用すれば同じセグメントで複数の色を表示することができる。
【００３３】
図１は、このようなＥＣＢ型液晶表示素子の複屈折量（リタデーションＲと呼ばれる）と色度図上での座標の関係を示すものであり、この図１により、Ｒが０から２５０ｎｍ附近まではほぼ色度図の中央にあって無彩色であるが、それ以上になると複屈折量に応じて色が変化していく様子がわかる。
【００３４】
なお、この場合、液晶として誘電率異方性（Δεと表す）が負の材料を使用しており、このような液晶は、電圧無印加時に基板に対して垂直配向させると、電圧とともに液晶分子が傾斜していき，それにつれて液晶の複屈折量（リタデーションと呼ばれる）が増加していく。
【００３５】
このとき、クロスニコル下では図１の曲線に沿って色度が変化する。即ち、電圧無印加時にはＲがほぼ０であるから光は透過せず、暗状態（黒状態）となっているが、電圧の増加に応じて、黒→グレー→白と明るさが増していく。さらに電圧を上げると色がついて、黄色→赤→紫→青→黄色→紫→水色→緑といったように色が変化する。
【００３６】
このようにＥＣＢ型液晶表示素子は、低電圧側の変調領域では最大明度と最小明度との間を電圧によって明度変化させることができ、より高い電圧領域で、複数の色相を電圧によって変化させることができる。
【００３７】
以下、色度図上の黒→グレー→白と明るさが変化するリタデーションの範囲（０ないし２５０ｎｍ）を明度変化範囲といい、黄色以上の有彩色変化の範囲（２５０ｎｍ以上）を色相変化範囲という。無彩色と有彩色の境界ははっきりとは決められないので、上記範囲の２５０ｎｍは一応の目安である。
【００３８】
なお、本発明ではリタデーションによって得られる色について言及するが、それは図１の曲線に沿った色である。図１にあるように、純度が極大となる点はリタデーションが４５０ｎｍ、６００ｎｍ、１３００ｎｍ付近にあり、赤色、青色、緑色として視認される。しかし、それらの点の前後におよそ１００ｎｍ幅でほぼ同じ色とみなせる範囲があるので、本発明ではその範囲の色も赤色、青色、緑色という。マゼンタは赤と青の中間５３０ｎｍ付近にある。
【００３９】
さらに通常、液晶表示装置などで用いられるカラーフィルタの色はリタデーションで得られる色よりは純度が高く、色度図上では上記の範囲の外側にある。本発明ではそれらも同名の色で呼ぶことにする。
【００４０】
ＥＣＢ型液晶表示素子はカラー表示可能ではあるものの、緑を表示するためには図１に示した通り１３００ｎｍ前後のリタデーション量が必要となり、通常の液晶材料を用いると、従来の液晶表示素子と比較してかなり大きなセル厚が必要である。
【００４１】
例えば、ＶＡ（Ｖｉｒｔｉｃａｌ  Ａｌｉｇｎｍｅｎｔ）モードとして知られている液晶素子は，電圧無印加状態に垂直配向させ、電圧印加によって最大リタデーション量を２００〜２５０ｎｍ程度にまで変化させるように設定されており、ＥＣＢ効果における黒〜白の明度変化領域が用いられる。これにＲＧＢカラーフィルタを設けることにより加法混色法によってフルカラー表示を得ている。
【００４２】
これと比べると、ＥＣＢ効果すなわちリタデーションによる色度変化を利用してカラー表示する方式では、液晶材料が同じであればセル厚を約６倍に設定する必要がある。すなわち現在のＶＡモードを用いた製品のセル厚が４〜５ミクロンだとすると、ＥＣＢ効果による着色現象を利用したカラー表示モードでは２０〜３０ミクロンのセル厚が必要ということになる。
【００４３】
次に、本発明の実施の形態について説明する。
【００４４】
図２は、本発明の第１の実施の形態に係るカラー表示装置の一例であるカラー液晶表示装置に用いられるカラー表示素子の一例であるカラー液晶表示素子の１画素の構造を示す図である。
【００４５】
図２において、５０は画素であるセグメント（もしくはキャラクター）であり、このセグメント５０は、２つの副セグメント（もしくは副キャラクター）５１，５２に分割されている。なお、この副セグメント５１，５２は、さらにそれぞれ複数の副々セグメントからなると共に同時に駆動されるものであってもよい。
【００４６】
ここで、一方の副セグメント５１には緑色のカラーフィルタＧが配設されている。なお、このカラーフィルタＧは、後述する図７において符号１３７で示す透明電極上に配設されている。また、他方の副セグメント５２には、カラーフィルタは配設されておらず、この副セグメント５２では、リタデーションを調節して、黒から白に至る無彩色の輝度変化と、赤からマゼンタを経て青、もしくは緑にいたるいずれかの色とを表示させるようにしている。
【００４７】
即ち、本実施の形態においては、１セグメント５０を不図示の電源の制御が可能な変調手段によるカラー出力信号に応じた電圧印加によって液晶層のリタデーションを変化させて有彩色を表示する第１の副画素である第１の副セグメント５２と、緑色のカラーフィルタＧを有し、電圧印加によって明度変化範囲でリタデーションを変化させてカラーフィルタの色、即ち緑（Ｇ）を表示する第２の副画素である第２の副セグメント５１とで構成している。
【００４８】
そして、本実施の形態のように、第２の副セグメント５１に緑色のカラーフィルタＧを配設することにより視感度の高い緑色を表示させ、第１の副セグメント５２ではＥＣＢによる着色現象により赤と青を表示させるようにしている。
【００４９】
ここで、このように構成することにより、例えば白を表示する場合、緑色のカラーフィルタＧのある第２の副セグメント(以下、Ｇセグメントという)５１を暗状態とし、カラーフィルタのない第１の副セグメント（以下、透明セグメントという）５２を白色（無彩色変化領域の最大輝度状態）にすることにより、セグメント全体として白を表示することが出来る。また、Ｇセグメント５１を略最大透過状態にし、透明セグメント５２を有彩色領域のマゼンタ色にしてもよい。この場合、マゼンタ色は赤（Ｒ）と青（Ｂ）の両方の色を含むので、合成の結果白表示が得られる。
【００５０】
また、Ｇ単色を表示するには、Ｇセグメント５１を最大透過状態にし、透明セグメント５２を暗状態にする。さらに、Ｒ単色（Ｂ単色）を表示するには、Ｇセグメント５１を暗状態にし、透明セグメント５２のリタデーション値を４５０ｎｍ（６００ｎｍ）にする。またさらに、これらを組み合わせることでＲとＧ、ＢとＧの混色も得られる。さらに、Ｇセグメント５１と透明セグメント５２を、ともにリタデーションを０にして暗状態とすれば黒表示が得られことはいうまでもない。
【００５１】
なお、本実施の形態では、Ｇセグメント５１はリタデーションを０から２５０ｎｍの範囲で変化させ、透明セグメント５２はリタデーションを０から２５０ｎｍの範囲と４５０ｎｍから６００ｎｍの範囲で変化させる。また、通常、液晶材料は両副セグメント５１，５２で共通にするので、駆動電圧範囲を異なるように設定する。
【００５２】
ここで、上記例のように緑色のカラーフィルタＧを配設した場合には、緑をリタデーションの調節で作ることが回避されるので、セル厚を大きくする必要がない。また、緑色は視感度が高いので、カラーフィルタによって純度の高い色を作ることができ、多色化にとって有効である。
【００５３】
さらに、カラーフィルタによってカラー表示を行うことにより、万が一リタデーション変化によるカラー表示状態が、温度変化や視野角によって若干変化した場合にも、カラーフィルタ部とリタデーションによるカラー部のカラーに明確な差異化が図れることになる。したがって上記バリアフリーに基づき様々な利用者が使用する場合にも誤操作してしまう危険性が減少する。
【００５４】
また、こうしたカラーフィルタを５０の電極上以外の背景部分にも配設するようにしても良く、このようにカラーフィルタを配設した場合、液晶層に電圧が印加されていない状態における表示状態が電極上と背景部分とで一致するために、表示コントラストの有無がはっきりとわかる視認性の高い表示状態を得ることが可能となる。
【００５５】
なお、本実施の形態によれば、上記のように、例えばＧセグメント５１など一つの色をカラーフィルタで表示し、その他の色を媒体（上の場合は液晶）自身が発生させる色で表示するようにしたが、媒体としては液晶以外にも適用できる。即ち、一般に外部から加えられる変調手段によって光学的性質を変化させる媒体を用い、その媒体が、変調手段によって明度を変化させる変調領域と、色相を変化させる変調領域とを有するものであれば本発明が適用できる。
【００５６】
ここで、このような媒体を用いる場合は、例えば、このような媒体を用いて表示素子を構成すると共に単位セグメントを、透明な第１の副セグメントと、カラーフィルタを有する第２の副セグメントで構成する。そして、第１の副セグメントに色相が所定の範囲で変化するような変調を与えてその範囲の色を表示させ、第２の副セグメントに明度変化範囲の変調を与えてカラーフィルタの色の明るさ変化させることにより、カラー表示を行う。なお、この場合、黒、灰色、白の無彩色を表示するには、透明な第１の副セグメントに明度変化範囲の変調を与えればよい。
【００５７】
また上記リタデーション値はクロスニコル下に配置した透過型液晶表示素子の場合であるが、これを反射型液晶表示素子に適用した場合には、セル厚が半分となるため応答速度が１／４に高速化されるとともに、製造プロセスも他のＬＣＤとのセル厚設定に近い値となるために歩留まり向上に寄与する。
【００５８】
以上述べたように、本実施の形態に係るカラー液晶表示素子は、例えば赤・青色についてはＥＣＢ効果に基づく着色現象を利用した表示方法をとるので、赤色と青色それぞれのカラーフィルタを使用する場合と比較して光ロスを大幅に減少させることができる。その結果、従来のＲＧＢカラーフィルタのみによって三原色を表示する方式と比べて光利用効率の高い素子が得られることが特長である。
【００５９】
一方、このような構成の液晶表示素子は、透過型液晶表示素子としても液晶層の透過率が高いので、従来方式のものと同一の輝度を得るために必要なバックライト消費電力が少なくて済み、低消費電力化という観点から好適に用いられる。
【００６０】
なお、これまでは例えば緑色表示に関してはカラーフィルタＧを用いることによってアナログ階調を実現し、赤・青色についてはＥＣＢ効果に基づく着色現象を利用した例を説明したが、上記例以外にも赤に関してカラーフィルタを用いる例、青に関してカラーフィルタを用いる例が考えられる。
【００６１】
ところで、第２の副セグメント５１に赤、青、緑の少なくとも一つのカラーフィルタを配設すると共に、第１の副セグメント５２に、第２の副セグメント５１に配設されたカラーフィルタと補色関係にあるカラーフィルタを配設するようにしても良い。そして、このように構成することにより、セグメント（もしくはキャラクター）表示において、より色純度の高い表示が可能となる。
【００６２】
次に、このような本発明の第２の実施の形態について、例えば第２の副セグメント５１に緑色のカラーフィルタを配設し、第２の副セグメント５１に緑色の補色であるマゼンタカラーフィルタを配設した場合について説明する。
【００６３】
例えば、既述した第１の実施の形態のように第１の副セグメント５２にカラーフィルタを用いない場合には、白色領域を超えたリタデーション量の範囲では、黄色→黄赤→赤→赤紫（マゼンタ）→紫→青紫→青色という色調変化を示すが、本実施の形態のように、このような第１の副セグメント５２にマゼンタカラーフィルタを配設することにより、赤色および青色の色再現範囲を大幅に広げることが可能となる。
【００６４】
図３は本実施の形態に係るカラー液晶表示装置に用いられるカラー液晶表示素子の１セグメント（画素）の構造を示す図であり、Ｇセグメント５１には既述した第１の実施の形態と同じく緑のカラーフィルタＧが配設されており、第１の副セグメント５２にはマゼンタ色のカラーフィルタＭが配設されている。
【００６５】
そして、本実施の形態においては、第２の副セグメント（Ｇセグメント）５１には、第１の実施の形態と同様に、液晶の明度を変化させる変調領域の変調を与えて緑色の明度を変化させる一方、第１の副セグメント５２には、液晶の色相を変化させる変調領域の変調を与えて有彩色を表示させると共に、明度を変化させる変調領域の変調を与えてマゼンタ色の明度を変化させる表示を行う。
【００６６】
図４に、波長４８０ｎｍ〜５８０ｎｍまでの透過率がゼロであり、それ以外の波長の透過率が１００％となるような理想的なマゼンタカラーフィルタを配設した場合のリタデーションによる色変化の計算値を示す。そして、この図４からも明らかなように、第１の副セグメント５２では、リタデーション量がゼロから増加するにつれて黒色表示から暗いマゼンタ色（マゼンタ色の中間調）を経て明るいマゼンタ色表示に至るような有彩色での明度変化を示す。
【００６７】
さらに、この後リタデーション量が更に増加し、第１の副セグメント５２にカラーフィルタを用いない例での白色領域を超えたリタデーション量の範囲になったときに、マゼンタ→赤→赤紫（マゼンタ）→紫→青色、というような有彩色の連続的変化を示す。
【００６８】
これを、図１と比較してみると、色度変化の範囲が赤と青の純色（色度図の隅）近くにまで広がっており、第１の副セグメント５２にマゼンタカラーフィルタＭを配設することによって赤と青の色再現範囲が広がっていることがわかる。また、赤から青への変化が色度図の下辺に沿って動くので、赤から青への連続的な混色の変化が得られることもわかる。このように、マゼンタカラーフィルタＭを配設することによって赤と青の色再現範囲が広がると同時に、リタデーション変化したときに中間色の連続的変化も得られる。
【００６９】
例えば、本実施の形態において、白色を表示するには、第１の副セグメント(以下、マゼンタセグメントという)５２と、Ｇセグメント５１をともに最大透過率を与える同じリタデーション値（２５０ｎｍ）に設定する。あるいは、Ｇセグメント５１を略最大透過率状態（リタデーション値２５０ｎｍ近傍）にし、マゼンタセグメント５２を赤と青の中間のリタデーション値（５５０ｎｍ付近）に設定してもよい。
【００７０】
なお、前者の方法の場合、無彩色の明度を変化させるには、両副セグメント５１，５２の階調がそろって変化するように、マゼンタセグメント５２のリタデーションをＧセグメント５１のリタデーションに合わせて変化させればよい。なお、黒表示、Ｇ、Ｒ、Ｂの各単色を表示する場合、それらの混色を表示する場合は、第１の実施の形態と同じである。
【００７１】
このように、緑色のカラーフィルタＧを用いた場合には、緑色と補色関係にあるマゼンタ色のカラーフィルタＭを用いることによって、無彩色の階調表現ができると同時に、緑の補色の階調表現ができることから、表現できる表示色数を大幅に増加させることができる。もちろん、赤と青の中間色を連続的に色相変化させることが可能であるので、それら表示色とＧセグメント５１との組み合わせによって更に多くの表示色を得ることが可能となる。また、マゼンタカラーフィルタＭは赤色と青色の両方を透過するので、従来の赤と青のカラーフィルタを併設する方式に比べて明るい表示が得られる。
【００７２】
なお、本構成は、液晶層の液晶分子が電圧無印加時には基板面に略垂直に配向し、電圧印加時には略垂直の配向から傾斜してリタデーションを変化させるＶＡモードの他、以下に述べるいろいろな液晶表示モードに適用できる。
【００７３】
ＯＣＢ（Ｏｐｉｃａｌｌｙ  Ｃｏｍｐｅｎｓａｔｅｄ  Ｂｅｎｄ）モードは、液晶層の液晶分子が電圧印加によってベンド配向と略垂直配向との間にて配向状態を変化させることでリタデーションを変化させるので、本発明を適用できることはＶＡモードと同様である。
【００７４】
また、本構成ではリタデーション変化による表示色を利用するために、視野角による色調変化を考慮しなければならない。しかし、昨今のＬＣＤ開発の進歩は著しく、ＲＧＢカラーフィルタ方式を用いたカラー液晶ディスプレイでは視野角依存性の問題はほとんど解決しているといっても過言ではない。例えばＯＣＢモードではベンド配向による自己補償効果によって、視野角の変化に伴うリタデーション変化を抑制することが報告されている。また、ＳＴＮモードも位相差フィルム開発の進展によって視野角特性は大きく改善されている。
【００７５】
そして、これらＯＣＢやＳＴＮモードもリタデーション量を適宜設定することによってＥＣＢ効果に基づく着色現象を得ることができるため、本発明の構成を適用することが可能である。特に、ＯＣＢモードでは、先に述べた応答速度に関して大幅に改善することが出来るために、高速性が必要となる用途では好適に用いられる。
【００７６】
一方、ＭＶＡ（Ｍｕｌｔｉｄｏｍａｉｎ  Ｖｉｒｔｉｃａｌ  Ａｌｉｇｎｍｅｎｔ）モードは非常に良好な視野角特性を示すモードとして既に商品化され、広く使用されている。その他、ＰＶＡ（Ｐａｔｔｅｒｎｅｄ  Ｖｉｒｔｉｃａｌ  Ａｌｉｇｎｍｅｎｔ）モードと称されるモードも広く使用されている。
【００７７】
これらの垂直配向モードは、表面に凹凸をつけたり（ＭＶＡ）、電極形状を工夫したり（ＰＶＡ）して電圧印加時の液晶分子傾斜方向を制御することで、広い視野角特性を実現している。そして、これらは電圧によってリタデーション量を変化させるモードであるために、本発明の構成を適用することが可能である。こうすることで高い透過率（もしくは反射率）、広い視野角、広い色空間を同時に満足する液晶表示素子を実現することが可能となる。これらの他にも平行配向のＥＣＢモード、上下非対称プレチルトを有するＨＡＮモードなど様々な液晶モードを適用することができる。
【００７８】
なおこれまでの説明では、視感度の高い緑色を独立に取り扱い、その他の原色については緑以外のセグメントにて複屈折による着色効果を利用して表示させている。こうすることで自然画の表示能にとって最も有利であることは上述のとおりであるが、必ずしも緑だけに限らず、赤を独立セグメントとして取り扱い、青と緑を複屈折による着色効果を利用して表示させる方法や、青を独立セグメントとして取り扱い、赤と緑を複屈折による着色効果を利用して表示させる方法を利用しても良い。
【００７９】
また上述の繰り返しではあるが、外部から加えられる変調信号によって光学的性質を変化させる媒体を用い、その媒体が、変調手段によって明度を変化させる変調領域と、色相を変化させる変調領域とを有するものであれば、液晶素子に限定することなくさまざまな表示素子に対して本発明が適用できる。その例として、外部からの変調手段によって機械的に干渉層の膜厚を変化させる表示モード、複数色の泳動粒子を用いることで単位セグメント中にて異なる表示色を制御可能な電気泳動表示素子などをあげることができる。
【００８０】
図５は、既述した第１又は第２の実施の形態に係る液晶表示素子を備えた液晶表示装置の一例である液晶表示装置の構造を示す図であり、この液晶表示装置は７つセグメント（もしくはキャラクター）６１〜６７を備えている。そして、この７つ各セグメント（もしくはキャラクター）６１〜６７には、図６に示すような配線構成を介してカラー出力信号が入力されるようになっている。
【００８１】
そして、この各セグメント（もしくはキャラクター）６１〜６７に、それぞれカラー出力信号を入力すると共に、この不図示の変調手段によってカラー出力信号を制御することにより、三原色を含む多色表示が可能となり、様々な機器に対して付加価値を与えることが可能となる。また７セグメント表示に限らず、キャラクターやアイコン表示などにおいても同様に多色表示可能であって、付加価値を与えられることは言うまでも無い。
【００８２】
このように、第１の副セグメント５２に、液晶等の媒体の色相変化範囲の変調を与えてＥＣＢによる着色現象により赤と青を表示させ、第２の副セグメント５１に媒体の明度変化範囲の変調を与えてカラーフィルタの色である緑を表示させることにより、カラー出力信号を制御するだけで三原色表示を含む多色の表示を行うことが可能となる。この結果、簡素な配線構造で三原色表示を含む多色の表示を行うことが可能となる。また、背景部にもカラーフィルタが配設されていることによって、視認性の高い表示を行うことが可能となる。
【００８３】
（実施例）
次に、本発明の表示素子について、実施例１〜１５を用いて詳述する。なお、本実施例中では、第１の副セグメント５２（図２参照）にカラーフィルタを用いる場合には、そのカラーフィルタ色としてマゼンタを用い、第２の副セグメント５１（図２参照）に用いるカラーフィルタとして緑を用いて説明を行うものとする。
【００８４】
ここで、本実施例１〜１５において使用するカラー表示素子の一例としての液晶表示素子の、共通の構成は以下のとおりである。
【００８５】
液晶層の構造として、垂直配向処理を施した２枚のガラス基板を重ね合わせてセル化し、液晶材料として誘電率異方性Δεが負である液晶材料（メルク社製、型名ＭＬＣ−６６０８）を用いる。なお、このとき実施例に応じてリタデーションが最適となるようにセル厚を変化させるものとする。
【００８６】
また、用いる基板構造として、一方の基板は所望の電極およびカラーフィルタのパターニングが施された基板を用い、もう一方の基板には光反射性のコモン電極を有する基板を用いる。このときの電極形状やカラーフィルタ構成は実施例に応じて変化させる。
【００８７】
また上基板（カラーフィルタ基板）と偏光板との間には実施例に応じて広帯域λ／４板（可視光領域で１／４波長条件をほぼ満たすことができる位相補償板）などの位相補償板が配置されている。このとき用いるリタデーション量を変化させることにより、反射型での表示の際に電圧無印加時の表示状態を制御することができる。
【００８８】
（実施例１）
本実施例１に用いる液晶表示素子のセグメント構成は、既述した図２に示したように、一つの単位セグメント５０を二つの副セグメント５１，５２に分割すると共に、そのうち一つの副セグメント５１にのみ緑色のカラーフィルタを配設し、残る一つの副セグメント５２にはカラーフィルタは設けていない。なお、カラーフィルタＧはセグメント電極上にのみ存在している。
【００８９】
図７は、このような液晶表示素子の断面図であり、図７において、１３０は反射型液晶素子である。また、１３１は直線偏光板、１３２はλ／４板である。このとき、可視光領域の全体に渡ってλ／４条件を満たすために、公知の方法を用いてλ／２板とλ／４板を組み合わせて用いてもよいし、波長分散特性が制御されたλ／４板を用いてもよい。１３３は前方散乱板であり、１３４、１４２はガラスもしくはプラスチック基板である。なお、１３４は透明基板が必要であるが、１４２は必ずしも透明でなくてもよい。
【００９０】
１３５はカラーフィルタであって、必要な領域に形成されている。１３６は平坦化層であって、カラーフィルタがある部分とない部分、もしくは異なる種類のカラーフィルタを用いた場合などに生じる段差を解消するために用いられる。１３７はＩＴＯなどの透明電極、１３８、１４０は配向膜である。なお、本実施例では垂直配向膜を用いている。また電圧印加時の液晶分子傾斜方向をそろえるために反平行方向にラビング処理が施されている。
【００９１】
１３９は液晶層であり、この液晶層１３９において、前記ラビング処理によって電圧無印加状態では液晶分子は基板法線方向から１度程度傾斜している。１４１はアルミや銀などの光反射性を有する電極である。なお、この液晶表示素子１３０の液晶層の層厚（セル厚）は５ミクロンとした。このとき、カラーフィルタが設けられていない透明副セグメントに対して±５Ｖ電圧を印加した時のリタデーション量は約３００ｎｍとなっている。
【００９２】
そして、このような液晶表示素子について、電圧を変化させることによって表示状態を変化させた。まず、電圧無印加状態では、いずれのセグメントにおいても黒表示である。また、緑のカラーフィルタを有する副セグメントに関しては、３Ｖ以下の領域では印加電圧値に応じた透過率変化を示し、連続階調特性が得られる。
【００９３】
一方、他の透明副セグメントに関しては、５Ｖ印加時には青色、３．８Ｖ印加時には赤色表示となるため、本実施例の液晶素子が三原色表示であることがわかる。さらに、３Ｖ以下の領域では印加電圧の大きさに応じたモノクロの連続階調を表示する。
【００９４】
これによって三原色表示可能な７セグメント表示を行うことが可能である。なお、本実施例では、電極以外（セグメント周辺部）の電圧が印加されない部分は常に黒色表示であって、黒背景の中に様々な表示色を呈する数値表示がなされている。
【００９５】
また２つの副セグメントに表示させる表示色を様々に変化させることによって上記表示色の混色を表示させることができる。これにより白・黒およびＲＧＢ三原色およびＹＭＣ表示を行うことができる。また連続階調領域を組み合わせることによって非常に多くの表示色を得ることができる。
【００９６】
（実施例２）
本実施例２に用いる液晶表示素子のセグメント構成は、実施例１と同様であって、一つの単位セグメントを２つの副セグメントに分割すると共に、そのうち一つの副セグメントに緑色のカラーフィルタを配設し、残る一つの副セグメントにマゼンタカラーフィルタを配設している。なお、この素子のセル厚は５ミクロンとした。このとき、マゼンタのカラーフィルタを有する副セグメントに対して±５Ｖ電圧を印加した時のリタデーション量は約３００ｎｍとなっている。なお、カラーフィルタはセグメント電極上にのみ存在している。
【００９７】
そして、このような液晶表示素子について、電圧を変化させることによって表示させると、緑のカラーフィルタを有する副セグメントに関しては、３Ｖ以下の領域では印加電圧値に応じた透過率変化を示し、連続階調特性が得られる。一方、マゼンタのカラーフィルタを有する他の副セグメントに関しては、５Ｖ印加時には青色、３．８Ｖ印加時には赤色表示となるため、本実施例の液晶パネルが三原色表示であることがわかる。さらに３Ｖ以下の領域では印加電圧の大きさに応じたマゼンタ色の連続階調を表示する。またこのときの高い純度の色純度が得られる。
【００９８】
このようにして、高い色純度の三原色表示ができる７セグメント表示を行うことが可能である。つまり黒背景の中に色純度の高い様々な表示色を呈する数値表示がなされている。
【００９９】
また、２つの副セグメントに表示させる表示色を様々に変化させることによって上記表示色の混色を表示させることができる。これにより白・黒およびＲＧＢ三原色およびＹＭＣ表示を行うことができる。また連続階調領域を組み合わせることによって非常に多くの表示色を得ることができる。
【０１００】
（実施例３）
本実施例３では、実施例１、２の構成において、電極以外の部分にもカラーフィルタを設けるようにした。そして、このように構成することによって、電圧無印加時の黒表示状態の明るさが一様となり、均一性の高い表示素子を得ることができる。
【０１０１】
（実施例４）
本実施例４では、実施例１〜３に用いたλ／４を排除した以外は同様の構成とした。また、このときカラーフィルタは電極上にのみ配設している。
【０１０２】
そして、本実施例４では液晶素子には直線偏光板のみが用いられているので、電圧無印加状態において液晶層のリタデーション量がほとんどゼロの場合には、入射した偏光が反射電極において反射し、そのままの偏光状態を保ったまま出射するために、電圧無印加状態では白表示となる。
【０１０３】
また、電圧を約３Ｖとし液晶層のリタデーションがλ／４程度において黒表示となり、更に電圧を上げることによって再び白となり、更に電圧を上げることによって実施例１〜３と同様に赤・青色表示を得ることができる。つまり電圧無印加時に白色表示のモードであっても同様の効果を得ることができる。
【０１０４】
（実施例５）
実施例４の構成において、電圧無印加時に観測すると、７セグメントに相当する部分のみ若干暗い表示となっており、使用者に誤表示しているとの懸念をもたれる可能性がある。そこで、本実施例５では、電極以外の部分にもカラーフィルタを設けることによって、電圧無印加時の全体の明るさをそろえることが出来、誤操作の懸念を回避することができる。
【０１０５】
（実施例６）
実施例１〜３に用いた構成に加えて、他の大きなリタデーション値を有する位相差板を適用することによって電圧無印加時の表示色を様々なものに変化させることができる。
【０１０６】
本実施例では３００ｎｍのリタデーションを有する位相差板を加えて観測してみると、電圧無印加状態において青色表示を得ることができる。また上記の値を他のものに変化させると他の色が得られる。これによって例えば筐体色とセグメント背景色を一致させるなど、本カラーセグメント表示素子を用いることでデザイン性の高い装置を得ることができる。なおこの場合も電極以外にもカラーフィルタを配設するほうが均一性の高い表示素子を得ることが可能となる。
【０１０７】
（実施例７）
既述した図５では７セグメント上のストライプカラーフィルタ（ストライプパターン）の方向は、結線方向と略一致させて全て横方向にしていたが、本実施例では図８に示すように、ストライプカラーフィルタ（ストライプパターン）の方向を７セグメントそれぞれの長辺（長手）方向に平行になるようにパターニングを行う。
【０１０８】
その結果、電極取り出しがシンプルなパターンで実現できるため、断線やショートなどの懸念が減少する。これにより、製造プロセスに応じて、いずれのパターン方向を採用するかを決定すればよく、歩留まり向上に寄与する。
【０１０９】
（実施例８）
本実施例８では７セグメントカラー表示素子を電卓表示に用いる。そして、この場合、例えば計算結果が負の値になったときには赤色表示になるよう設定しておけば計算のミスが少なくなる。
【０１１０】
（実施例９）
本実施例９では、７セグメントカラー表示素子を、予め設定した身長と測定された体重よりボディマス指数（ＢＭＩ）を求めることができる体重計に用いる。なお、ＢＭＩは、（体重（ｋｇ）÷身長（ｍ）２）より求めることができる。
【０１１１】
そして、この場合には、ＢＭＩ値が規定値を外れたとき、体重計表示をカラー表示させることによって健康維持に役立たせることができる。また、体脂肪率が規定値を超えたときにカラー表示させるのも有効であり、ダイエットなどに役立つと考えられる。
【０１１２】
（実施例１０）
本実施例１０では、７セグメントカラー表示素子をテスターの表示に用いる。この場合、例えば既存のテスターではオープン・ショートチェックにビープ音によって結果が得られるが、これをカラー表示することによって静粛な実験環境において測定を実施することができる。また、抵抗値測定の際に、Ω・ＫΩ・ＭΩ・ＧΩなど単位を見誤る場合があるが、単位の変更に応じて表示される数値の表示色を変化させることによって測定ミスを防ぐことができる。
【０１１３】
（実施例１１）
本実施例１１では接駆動型カラー表示素子を、ノートＰＣのバッテリー残量を示すインジケータアイコンに適用する。この場合、インジケータにより、バッテリー残量が残りわずかとなったときに赤色を表示するようにしてユーザーに効果的に警告することで、バッテリー切れによるデータの消失を防ぐことが可能となる。
【０１１４】
（実施例１２）
本実施例１２では直接駆動型カラー表示素子を、携帯電話の電波状況を示すインジケータアイコンに適用する。この場合、デザイン性の高い携帯電話を得ることが可能となる。
【０１１５】
（実施例１３）
本実施例１２では７セグメントカラー表示素子を腕時計の表示に用いる。この場合、例えば予定の時刻をセットしておいて、その予定に近づくにつれ時刻表示カラーを変化させることにより、予定を見過ごすことがなくなる。
【０１１６】
（実施例１４）
本実施例１４では７セグメントカラー表示素子をエアコン用のリモコン表示に用いる。この場合、例えば設定温度を２３℃にしているときにも、暖房設定であるか、冷房設定であるか、ドライ設定であるか、が一目でわかることになり、省エネ効果につなげることができる。
【０１１７】
（実施例１５）
本実施例１５では７セグメントカラー表示素子を炊飯器用の表示に用いる。この場合、例えば炊飯中の状態が一目でわかることになる。また、例えば保温時間が２４時間を越える状態で放置されている場合など、規定を超える使用をしている場合に警告表示することが可能となり、食中毒の防止に寄与することが可能となる。
【０１１８】
以上述べたように、本発明のカラー表示装置を用いることによって製品の付加価値を大きく高めることが可能となる。なお、本実施例中では液晶を中心に述べたが、ＥＣＢ効果を有する液晶素子の代わりに機械的な変調によって干渉層の媒体としての空気の厚さである空隙距離を変化させるモードを用いる場合でも本実施例と同様の効果が得られる。
【０１１９】
また、カラー表示素子として、実施の形態中で述べた構成に基づく媒体である複数の粒子を電圧印加によって移動させる粒子移動型表示素子を用いる場合でも本実施例と同様の効果が得られる。
【０１２０】
また本実施例ではカラーフィルタとして緑とマゼンタ（もしくは緑と透明）との組み合わせについて述べたが、赤とシアン（もしくは赤と透明）、青と黄色（もしくは青と透明）の組み合わせについても適用可能である。
【図面の簡単な説明】
【０１２１】
【図１】本発明に用いる液晶表示素子のリタデーション変化したときの色調変化を表す図。
【図２】本発明の第１の実施の形態に係るカラー表示装置の一例であるカラー液晶表示装置に用いられるカラー表示素子の一例であるカラー液晶表示素子の１画素の構造を示す図。
【図３】本発明の第２の実施の形態に係るカラー液晶表示装置に用いられるカラー液晶表示素子の１セグメント（画素）の構造を示す図。
【図４】上記液晶表示素子のリタデーション変化したときの色調変化を表す図。
【図５】上記液晶表示素子を用いた液晶表示装置の構造を示す図。
【図６】上記液晶表示装置の７つのセグメントの配線を示す図。
【図７】本発明の実施例１に用いる液晶表示素子の断面図。
【図８】本発明の実施例７に係る７セグメント液晶表示装置の構造を示す図。
【図９】従来のモノクロ７セグメント表示素子の構造を示す図。
【図１０】従来のモノクロ表示素子に設けられたカラーフィルタを三分割した例を示す図。
【図１１】従来のモノクロ表示素子に設けられたカラーフィルタを複数に分割した例を示す図。
【図１２】従来のＲＧＢカラーフィルタ方式の単位セグメントの配線を示す図。
【図１３】従来のＲＧＢカラーフィルタ方式の単位セグメントの配線を示す他の図。
【符号の説明】
【０１２２】
５０        セグメント（キャラクター）
５１        第２の副セグメント
５２        第１の副セグメント
６１〜６７  ７つのセグメント
１３０      反射型液晶素子
１３５      カラーフィルタ
１３７      透明電極
Ｇ          緑のカラーフィルタ
Ｍ          マゼンタのカラーフィルタ
【図１】
2006053497.tif 000003
【図２】
2006053497.tif 000004
【図３】
2006053497.tif 000005
【図４】
2006053497.tif 000006
【図５】
2006053497.tif 000007
【図６】
2006053497.tif 000008
【図７】
2006053497.tif 000009
【図８】
2006053497.tif 000010
【図９】
2006053497.tif 000011
【図１０】
2006053497.tif 000012
【図１１】
2006053497.tif 000013
【図１２】
2006053497.tif 000014
【図１３】
2006053497.tif 000015